【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
所定のノズル配列方向に並ぶ、それぞれが複数のノズルからなる複数のノズル列と、各ノズル列のノズル各々に対応するように設けられたインクを吐出するために利用されるエネルギーを発生するエネルギー発生素子とを備えた複数のチップを有する少なくとも一つの記録ヘッドを有し、前記記録ヘッドに含まれる各ノズル列の複数のノズルを、前記ノズル配列方向に連続するノズルを１つのグループとし、各ノズル列のノズルを複数のグループに分割し、各グループのノズルに対応するエネルギー発生素子を駆動し、画像を記録媒体に記録する記録装置であって、
前記記録ヘッドによって記録媒体に記録された予め定められたテストパターンに基づいて前記記録ヘッドを前記ノズル配列方向と交差する交差方向に移動させる移動手段を有することを特徴とする記録装置。
【請求項２】
前記記録ヘッドは、前記ノズル配列方向と前記ノズル配列方向とは交差する交差方向とに直交する方向を回転軸として回転が可能であり、
前記移動手段は、前記記録ヘッドを前記回転軸の周りに回転させるアクチュエータを備え、
前記移動手段は、前記アクチュエータを駆動して前記記録ヘッドを回転させることにより、前記記録ヘッドの傾きを補正することを特徴とする請求項１に記載の記録装置。
【請求項３】
前記テストパターンを読取る読取手段と、
前記読取手段によって読取られたテストパターンを解析する解析手段と、
前記解析手段による解析の結果に基づいて、前記記録ヘッドのうちの基準に対する傾きを算出する算出手段と、をさらに有し、
前記算出手段はさらに、前記解析手段による解析の結果に基づいて、前記記録ヘッドの間の記録のずれを算出し、
前記移動手段は、前記算出手段によって算出された記録のずれに応じた量だけ前記記録ヘッドを前記ノズル配列方向と交差する交差方向に移動させることを特徴とする請求項１又は２に記載の記録装置。
【請求項４】
前記算出手段はさらに、前記解析手段による解析の結果に基づいて、複数の前記チップの間の記録のずれを算出することを特徴とする請求項３に記載の記録装置。
【請求項５】
前記算出手段はさらに、前記解析手段による解析の結果に基づいて、複数の前記チップ
に配置される複数のノズル列の間の前記交差方向における記録の位置ずれを算出することを特徴とする請求項４に記載の記録装置。
【請求項６】
各チップに含まれるノズルの駆動のタイミングを変化させることにより、前記複数の前記チップの間の記録のずれと、前記複数のノズル列の間の記録のずれを補正することを特徴とする請求項５に記載の記録装置。
【請求項７】
前記ノズル配列方向と交差する方向において、前記記録ヘッドを基準とした場合の前記複数の前記チップそれぞれについての前記チップの傾きによる記録のずれと、前記複数のノズル列それぞれについてのノズル列の傾きによる記録位置のずれは１画素の長さ未満であることを特徴とする請求項６に記載の記録装置。
【請求項８】
前記複数の前記チップ間のずれは、前記算出手段によって算出された前記記録ヘッドの傾きの基準線に対して補正することを特徴とする請求項７に記載の記録装置。
【請求項９】
前記基準に対する傾きは、前記読取手段もしくは基準ヘッドに対する傾きであり、前記基準線は前記基準に対する傾きに対して設定されることを特徴とする請求項８に記載の記録装置。
【請求項１０】
前記複数のグループのうちの少なくとも１つのノズルの交差する方向の位置が前記駆動による起因する記録位置の着弾を解消する方向にずれて配置されていることを特徴とする請求項１に記載の記録装置。
【請求項１１】
前記複数のグループそれぞれのノズルの数をＸとした場合に、前記記録ヘッドにおけるノズル列を構成する各ノズルは交差する方向に対して（１／Ｘ）画素ずつ順番にずらされて配置されていることを特徴とする請求項１０に記載の記録装置。
【請求項１２】
前記記録ヘッドにおけるノズル列の駆動する時分割のパターンは隣接するノズルを順番に駆動するパターンであることを特徴とする請求項１１に記載の記録装置。
【請求項１３】
前記記録ヘッドは、記録媒体の幅に相当する記録幅を有するフルライン記録ヘッドであることを特徴とする請求項１乃至１２のいずれか１項に記載の記録装置。
【請求項１４】
前記フルライン記録ヘッドが複数、備えられ、
複数の前記フルライン記録ヘッドそれぞれからは異なる色のインクが吐出されることを
特徴とする請求項１３に記載の記録装置。
【請求項１５】
前記記録媒体は、インク像の形成領域およびインク像をシートに転写するための転写体であることを特徴とする請求項１乃至１４のいずれか１項に記載の記録装置。
【請求項１６】
前記テストパターンは少なくとも３つのタイルパターンを有し、前記解析手段による解析の結果に基づいて、タイルパターンから３点の座標を取得し、前記算出手段は前記座標の情報から前記記録ヘッドと前記記録媒体の相対的な傾きを算出する請求項３乃至９のいずれか１項に記載の記録装置。
【請求項１７】
前記複数のチップ各々の傾きに対する補正は行われないことを特徴とする請求項１乃至１６のいずれか１項に記載の記録装置。
【請求項１８】
所定のノズル配列方向に並ぶ、それぞれが複数のノズルからなる複数のノズル列と、各ノズル列のノズル各々に対応するように設けられたインクを吐出するために利用されるエネルギーを発生するエネルギー発生素子とを備えた複数のチップを有する少なくとも一つの記録ヘッドを有し、前記記録ヘッドに含まれる各ノズル列の複数のノズルを、前記ノズル配列方向に連続するノズルを１つのグループとし、各ノズル列のノズルを複数のグループに分割し、各グループのノズルに対応するエネルギー発生素子を駆動し、画像を記録媒体に記録する記録装置の補正方法であって、
前記記録ヘッドによって記録媒体に記録された予め定められたテストパターンに基づいて前記記録ヘッドを前記ノズル配列方向と交差する交差方向に移動させる移動工程を有することを特徴とする補正方法。
【請求項１９】
前記記録ヘッドは、前記ノズル配列方向と前記ノズル配列方向とは交差する交差方向とに直交する方向を回転軸として回転が可能であり、前記記録装置は前記記録ヘッドを前記回転軸の周りに回転させるアクチュエータをさらに備え、
前記移動工程では、前記アクチュエータを駆動して前記記録ヘッドを回転させることにより、前記記録ヘッドの傾きを補正することを特徴とする請求項１８に記載の補正方法。
【請求項２０】
前記テストパターンを読取る読取工程と、
前記読取工程によって読取られたテストパターンを解析する解析工程と、
前記解析工程による解析の結果に基づいて、前記記録ヘッドのうちの基準に対する傾きを算出する算出工程と、をさらに有し、
前記算出工程はさらに、前記解析工程による解析の結果に基づいて、前記記録ヘッドの間の記録のずれを算出し、
前記移動工程では、前記算出工程によって算出された記録のずれに応じた量だけ前記記録ヘッドを前記ノズル配列方向と交差する交差方向に移動させることを特徴とする請求項１８又は１９に記載の補正方法。
【請求項２１】
前記複数のチップ各々の傾きに対する補正は行われないことを特徴とする請求項１８乃至２０のいずれか１項に記載の補正方法。
【手続補正２】
【補正対象書類名】明細書
【補正対象項目名】００１４
【補正方法】変更
【補正の内容】
【００１４】
即ち、所定のノズル配列方向に並ぶ、それぞれが複数のノズルからなる複数のノズル列と、各ノズル列のノズル各々に対応するように設けられたインクを吐出するために利用されるエネルギーを発生するエネルギー発生素子とを備えた複数のチップを有する少なくとも一つの記録ヘッドを有し、前記記録ヘッドに含まれる各ノズル列の複数のノズルを、前記ノズル配列方向に連続するノズルを１つのグループとし、各ノズル列のノズルを複数のグループに分割し、各グループのノズルに対応するエネルギー発生素子を駆動し、画像を記録媒体に記録する記録装置であって、
前記記録ヘッドによって記録媒体に記録された予め定められたテストパターンに基づいて前記記録ヘッドを前記ノズル配列方向と交差する交差方向に移動させる移動手段を有することを特徴とする。
【手続補正３】
【補正対象書類名】明細書
【補正対象項目名】００１５
【補正方法】変更
【補正の内容】
【００１５】
また本発明を他の側面から見れば、  所定のノズル配列方向に並ぶ、それぞれが複数のノズルからなる複数のノズル列と、各ノズル列のノズル各々に対応するように設けられたインクを吐出するために利用されるエネルギーを発生するエネルギー発生素子とを備えた複数のチップを有する少なくとも一つの記録ヘッドを有し、前記記録ヘッドに含まれる各ノズル列の複数のノズルを、前記ノズル配列方向に連続するノズルを１つのグループとし、各ノズル列のノズルを複数のグループに分割し、各グループのノズルに対応するエネルギー発生素子を駆動し、画像を記録媒体に記録する記録装置の補正方法であって、
前記記録ヘッドによって記録媒体に記録された予め定められたテストパターンに基づいて前記記録ヘッドを前記ノズル配列方向と交差する交差方向に移動させる移動工程を有することを特徴とする。